(57)【要約】  底部及び隣接するシェルを有するカップであって、シェルについて、底部に対するその反対端にマウスロールを設けることと、単一層または多層で構成することと、が可能であり、シェルの少なくとも１層は、紙もしくはボール紙または類似の材料から作られ、シェルの少なくとも１層は、その高さ全体及び少なくともおよそ全周にほぼわたって隆起部及び／または凹部を設け、最大の隆起部または凹部と材料層または凹部もしくは隆起部との間の深さの差は、シェルの高さにわたって且つ／または外周にわたって変化し、マウスロールを内側層または層だけと一体的に形成することが可能である、カップ。
2012509819.tif 000002
【特許請求の範囲】
【請求項１】
底部及び隣接するシェルを有し、
前記シェルについて、前記底部に対するその反対端にマウスロールを設けることと、単一層でまたは多層で構成することと、が可能であり、
前記シェルの少なくとも１層が、紙もしくはボール紙または類似の材料から作られる、カップであって、
前記シェルの少なくとも１層には、その高さ全体且つ少なくともおよそ全周にほぼわたって隆起部及び／または凹部が設けられ、
最大の前記隆起部または前記凹部と材料層または前記凹部もしくは前記隆起部との間の深さの差が、前記シェルの高さにわたって且つ／または周囲にわたって変化し、
前記マウスロールが、内側層または前記単一層と一体的に形成されていることを特徴とするカップ。
【請求項２】
２つの隣接する前記隆起部または前記凹部間の間隔は、前記シェルの高さにわたって変化することを特徴とする請求項１に記載のカップ。
【請求項３】
前記隆起部及び／または前記凹部は、エンボス加工形成部として形成されることを特徴とする請求項１または２に記載のカップ。
【請求項４】
加工した要素として構成される複数の個々の前記エンボス加工形成部は、前記シェルにわたって分配され、且つともに前記隆起部及び前記凹部を形成することを特徴とする請求項１から３のいずれか１項に記載のカップ。
【請求項５】
前記隆起部及び／または前記凹部は、直線の形態または波線の形態で配置され、且つ少なくともおよそ前記シェルの高さ方向に延びることを特徴とする請求項１から４のいずれか１項に記載のカップ。
【請求項６】
カップにおける内面と外面との間の接触面積は、減少した形状からなり、
少なくとも把持領域において、少なくとも内側を向く前記接触面積が外側を向く前記隆起部の接触面積よりも小さくなるように前記隆起部を構成することが可能であり、または、
少なくとも把持領域において、少なくとも内側を向く前記接触面積が外側を向く前記隆起部の接触面積よりも大きくなるように前記隆起部を構成することが可能であり、
両方の場合において、内側の前記接触面積と外面との間の比が１：２であることが可能であることを特徴とする請求項１から５のいずれか１項に記載のカップ。
【請求項７】
前記シェルは、少なくとも１つのほぼ平滑形状からなる領域を有し、
情報事項及び／または前記エンボス加工形成部を平滑領域に設けることが可能であることを特徴とする請求項１から６のいずれか１項に記載のカップ。
【請求項８】
多層を有して構成される前記シェルは、少なくとも２つのエンボス加工された層を有し、
前記層における前記エンボス加工形成部を互いに逆に向けることが可能であり、且つ／または、
前記層における前記エンボス加工形成部が互いに接触支持することが可能であることを特徴とする請求項１から７のいずれか１項に記載のカップ。
【請求項９】
多層を有して構成される前記シェルは、平滑層を有し、
平滑層を前記シェルの前記内側層として設け、前記内側層はそれ自身及び前記底部に密封して結合されることを特徴とする請求項１から８のいずれか１項に記載のカップ。
【請求項１０】
前記層は、その上部及び／または下端において互いに密封して結合されることを特徴とする請求項８または９に記載のカップ。
【請求項１１】
前記シェル及び／または前記層は、それら自身／それ自身に接着結合されることを特徴とする請求項１から１０のいずれか１項に記載のカップ。
【請求項１２】
前記シェルは、重なる形状からなり、
前記シェルの第２の外側端には、該外側端に関して後退して配置される接着結合部が設けられていることを特徴とする請求項１から１１のいずれか１項に記載のカップ。
【請求項１３】
外側層は、異なる高さの前記隆起部によって設けられる滑り止め手段を有し、且つ／または、
前記外側層または前記単一層は、少なくとも１つの厚化部分を有し、
前記厚化部分を前記シェルの高さにおける中央部に設けることを特徴とする請求項１から１２のいずれか１項に記載のカップ。
【請求項１４】
少なくとも１つの目打ちを前記シェルに設け、
前記目打ちを外側シェルに設けることが可能であり、
前記目打ちを前記シェルの上部及び／または下端に設けることが可能であり、
前記目打ちによって残りの前記シェルから画定されるところにクーポン券を設けることが可能であることを特徴とする請求項１から１３のいずれか１項に記載のカップ。
【請求項１５】
前記外側シェルがカップの高さの一部を覆い、且つ／または、
前記外側シェルが引込部を有することを特徴とする請求項１から１４のいずれか１項に記載のカップ。
【発明の詳細な説明】
【技術分野】
【０００１】
本発明は、底部及び隣接するシェルを有するカップであって、シェルについて、底部に対するその反対端にマウスロールを設けることと、単一層または多層を有して構成することと、が可能であり、シェルの少なくとも１層が紙もしくはボール紙または類似の材料から作られる、カップに関する。
【背景技術】
【０００２】
この種類の非常に多数のさまざまなカップが知られている。単一壁型のまたは多重壁型のカップは、しばしば使用される。多重壁型のカップは、とりわけ熱い、または冷たい飲み物の場合に使われており、これは、これらの場合において単一壁型のカップが触ることがしばしば不快であるためである。
【０００３】
しかし、すべてのカップの変形例において、それらを把持するだけで不快であるという問題がある。この問題は、とりわけ波状層が設けられたカップの場合に起こる。さらに、カップの外側は内容物次第で不快に熱い、または不快に冷たい、という問題もしばしばある。
【０００４】
その上、この種類のカップは、情報及び広告がただ不完全に印刷される。
【発明の概要】
【発明が解決しようとする課題】
【０００５】
したがって、本発明は、カップの構造を提案する目的に基づいており、このカップの構造は、十分な断熱性に加えて、十分な感触性も有し、さらに容易に情報及び／または広告を設けることができる。
【課題を解決するための手段】
【０００６】
本発明によると、この目的は、シェルの少なくとも１層に、その高さ全体に且つ少なくとも大体その全周にほぼわたって隆起部及び／または凹部を設け、最大の隆起部または凹部と材料層または凹部もしくは隆起部との間の深さの差がシェルの高さ及び／または外周にわたって変化するという事実と、マウスロールが内側層または単一層と一体的に形成される事実と、によって達成される。
【０００７】
結果として、把持している間において、カップは手の中で非常に満足に落ち着く。それは、しっかりと把持される。それにもかかわらず、積み重ねる性能は、悪影響を受けない。さらに、非常に十分な断熱は、多層型のカップの場合において保証される。
【０００８】
２つの隣設する隆起部または凹部間の間隔がシェルの高さにわたって変化すると、本明細書で非常に有利であることが分かる。
【０００９】
これは、好ましくないしわを作ることなく、カップの外形に非常に十分な調節をもたらす。
【００１０】
本発明によると、隆起部及び／または凹部をエンボス加工形成部として形成すると、非常に有利である。
【００１１】
エンボス加工形成部は、隆起部及び凹部の設計において非常に大きな自由をもたらす。
【００１２】
加工した要素として構成される複数の個々のエンボス加工形成部がシェルにわたって分配され、且つともに隆起部及び凹部を形成すると、さらに非常に有利である。
【００１３】
結果として、シェルは非常に魅力的に設計され、外形、模様及び広告をこれらのエンボス加工形成部として表すことも考えられる。
【００１４】
本発明のさらなる非常に有利な改良は、隆起部及び凹部が線の形態で配置されると、同様に示す。
【００１５】
多層型のシェルの場合において、空気経路は線の使用によって作られ、その結果、シェルの少なくとも外側は対流によって環境温度に一様に保たれる。しかし、単一層型のシェルの場合において、この種の改良によって使用者の手への接触面積を減らすことも考えられる。
【００１６】
本発明によると、隆起部及び凹部を波線の形態で配置すると、さらに非常に有利である。
【００１７】
カップは、この種類の波線の使用によって、よりいっそう満足に手の中に位置する。
【００１８】
線が少なくともおよそシェルの高さ方向で延びると、同様に非常に有利である。
【００１９】
結果として、発生する対流は、シェルの外側においてだけでなく補助される。
【００２０】
発明のさらなる改良によると、隆起部及び凹部の深さが、線に沿ってまたはシェルの高さ方向で変化すると、非常に有利である。
【００２１】
このようにしてシェルは設計されており、このシェルは、例えば隆起部及び凹部を減少させた上縁及び／または下縁において平坦な形状からなる、または、このシェルにおいて、隆起部及び凹部は、内部領域における低減した形状からなり、したがって改良された把持を保証する。
【００２２】
本発明によると、カップの内面と外面との間で接触面積が減少した形状からなると、同様に非常に有利である。
【００２３】
内側と外側との間の熱移動は、減少した接触面積によって減少される。
【００２４】
それは、少なくとも把持領域において、内側を向く接触面積は、外側を向く隆起部のそれよりも小さくなるように隆起部を構成すると、本明細書で非常に有利であることが分かる。
【００２５】
これは、十分な且つ快適な取り扱いを保証する。それにもかかわらず、非常に十分な断熱は、低い熱移動とともに保証される。
【００２６】
本発明のさらなる非常に有利な改良は、把持領域において少なくとも、内側を向く接触面積は、外側を向く隆起部のそれよりも大きくなるように隆起部を構成すると、示す。
【００２７】
これは、手とカップとの接触面積における大幅な減少を同様に達成し、これの結果として、低い熱移動が起こる。したがって、たとえカップが単一層型の形状からなっていても、カップは、非常に熱いまたは非常に冷たい内容物の場合において問題なく保持される。
【００２８】
これに関連して、内側の接触面積と外面との間の比が１：２であると、非常に有利であることが分かる。
【００２９】
これは、特に低い熱移動及び非常に十分な断熱作用を達成する。
【００３０】
本発明によると、シェルがほぼ平滑な形状からなる少なくとも１つの領域を有すると、非常に有利であることが分かる。
【００３１】
ここで、情報事項を平滑領域に設けると、非常に有利であることが分かる。
【００３２】
エンボス加工形成部を平滑領域に設けると、同様に、さらに有利である。
【００３３】
この平滑領域において、広告あるいは情報事項は、インク塗布によって及び／またはエンボス加工形成部によって設けられる。
【００３４】
本発明の１つの非常に有利な進展は、多層で構成されるシェルが少なくとも２つのエンボス加工された層を有すると、同様に示す。
【００３５】
ここで、層におけるエンボス加工形成部を互いに逆に向けると、非常に有利であることが分かる。
【００３６】
これは、シェルにおける非常に十分な断熱を達成する。
【００３７】
本発明によると、層におけるエンボス加工形成部が互いに接触支持すると、同様に非常に有利である。
【００３８】
結果として、エンボス加工する深さが低い場合において、比較的大きな間隔は、設けられる。さらに、この種類のエンボス加工形成部は、非常に安定である。
【００３９】
しかし、多層で構成されるシェルが平滑層を有すると、同様に非常に有利である。
【００４０】
平滑層を外側に向けると、非常に十分な印刷適正を達成する。
【００４１】
ここで、平滑層をシェルの内側層として設け、且つそれをそれ自身及び底部に密封して結合すると、非常に有利であることがわかる。
【００４２】
結果として、カップの内容物は、エンボス加工形成部上にたまることができない。
【００４３】
本発明による非常に有利であるさらなる改良は、層をそれらの上部及び／または下縁において互いに密封して結合すると、示す。
【００４４】
結果として、層間での液体の浸透、よごれ、ほこりまたは同様のものを防ぐ。
【００４５】
シェル及び／または層を、それ自身／それら自身に接着結合すると、同様に非常に有利である。
【００４６】
外側シェルまたは層は、その後にカップの表面に非常に容易に押し付けられるように設けられる。
【００４７】
本発明による非常に有利であるさらなる進展は、シェルが重なる形状からなり、且つシェルの第２の外側端が、外側端に関して後退して配置される接着結合部を備えると、示す。
【００４８】
これは、シェルの端縁で接着剤が漏れ出る可能性を回避する。後退する距離は同様にとても大きく、第２端における接着結合は、内側シェルとともに行われる。
【００４９】
その上、マウスロールを内側層と一体的に形成すると、非常に有利であることがわかる。
【００５０】
これは、カップを使用するときに、より大きい心地よさをもたらす。
【００５１】
さらに、本発明におけるさらなる進展により、外側層が異なる高さの隆起部によって設けられる滑り止め手段を有すると、非常に有利であることがわかる。
【００５２】
これは、この場合も同様に、カップの取り扱いを改良する。予想外に滑り落ちることは、回避される。さらに、カップは、使用者の手の中で非常に快適に落ち着く。
【００５３】
本発明におけるさらなる非常に有利な改良は、外側層が少なくとも１つの厚化部分を有すると、同様に示す。
【００５４】
ここで、厚化部分をカップにおける中央の垂直領域に設けると、非常に有利であることがわかる。
【００５５】
これは、カップにおける非常に十分な把持及び滑り止め保護を同様にもたらす。
【００５６】
本発明における非常に有利であるさらなる進展は、少なくとも１つの目打ちをシェルに設けると、同様に存在する。
【００５７】
ここで、目打ちを外側シェルに設けると、非常に有利であることがわかる。
【００５８】
この種類の改良は、多くの別の設計方法をもたらす。
【００５９】
目打ちをシェルにおける上部及び下端に設けると、本発明により非常に有利である。
【００６０】
これは、空気が少なくともおよそカップの高さ方向に延びる経路内を流れることを保証する。カップの内容物が外界よりも暖かい間は、空気はカップの下端から流入し、また一方で、カップの上端から流出する。流れは、対流によって作り出される。その他の方向を向く流れは、カップの中身が冷たい場合においてさらに考えられる。
【００６１】
目打ちによって残りのシェルから画定されたところにクーポン券を設けると、同様に非常に有利である。
【００６２】
このようにして、例えば割引券またはその他の広告を、カップに添付することができる。
【００６３】
本発明における非常に有利であるさらなる改良は、外側シェルがカップの高さの一部を覆うと、同様に表す。
【００６４】
このようにして、外側、断熱シェルは、把持領域に設けられる。
【００６５】
外側シェルが引込部（recess）を有すると、同様に非常に有利である。
【００６６】
例えば、内側シェルあるいは充填製品を見せる窓を見ることは、この引込部の使用によって作り出される。
【００６７】
以下の文章において、本発明は、それぞれの例となる実施形態を用いて説明される。
【図面の簡単な説明】
【００６８】
【図１】平滑内側シェルと波状の隆起部及び凹部が設けられた外側シェルとを有する二重壁型のカップを示す。
【図２】カップにおけるシェルを通る断面図を示す。
【図３】平滑内側シェルと直線の形態での隆起部及び凹部が設けられた外側シェルとを有する二重壁型のカップを示す。
【図４】平滑内側シェルと特定の目的のための隆起部及び凹部が設けられた外側シェルとを有する二重壁型のカップを示す。
【図５】シェルが波線の形態での隆起部及び凹部が設けられた単一壁型のカップを示す。
【図６】エンボス加工された内側及び外側層を有する二重壁型のカップを通る断面図を示す。
【図７】外側シェルを有するカップを通る断面図であって、外面が内側カップ上の外側シェルの接触面積よりも小さい、断面図を示す。
【図８】外側シェルを有するカップを通る断面図であって、外面が内側カップ上の外側シェルの接触面積よりも大きい、断面図を示す。
【発明を実施するための形態】
【００６９】
図１において、符号１は、カップを示し、このカップは、底部２とシェル３とを有し、紙またはボール紙から作られる。外側に巻きつけられ、且つカップ１の開口部を覆うマウスロール４は、底部２から離れて向くシェル３のその端に取り付けられる。
【００７０】
第１の例となる実施形態において、カップ１のシェル３は、二重壁型の形状からなり、平滑な材料から作られる内側シェル３ａと構造体５が設けられ且つ内側シェル３ａの周囲に設置された外側シェル３ｂとを備える。本実施形態において、外側シェル３ｂの第１端は、端に関して後退して配置される接着継ぎ目６によって、高さ方向に沿って内側シェル３ａに結合される。本実施形態において、接着継ぎ目６は、好ましくは１ｍｍから８ｍｍの間で後退されており、接着継ぎ目６のために使用される接着剤が端で漏れ出ることを回避する。接着継ぎ目６は、個々の点またはその他の幾何学的模様で作り出されてもよい。非常に幅広い種類のホットメルト接着剤、低温接着剤またはそのほかの分散接着剤は、使用される素材及びカップ１の所望の用途に応じて、接着継ぎ目６に使用されてもよい。
【００７１】
外側シェル３ｂの第２端は、第１端に重なり、且つ第１端の領域でさらなる接着継ぎ目７によって留められる。
【００７２】
外側シェル３ｂの２つの端は、互いに重なる。重なりは、１ｍｍから１０ｍｍの間であることが考えられる。しかし、端が互いに当接するだけ、または互いから１ｍｍを超えないわずかな間隔をあけるようにすることも考えられる。
【００７３】
本実施形態において、外側シェル３ｂは、まず第１に、第１端で接着結合され、その後内側シェル３ａの周りに巻きつけられる。
【００７４】
接着継ぎ目７は、第２端を外側シェル３ｂの第１端あるいは内側シェル３ａに留める。同じ接着剤を接着継ぎ目６として使用してもよい。
【００７５】
接着継ぎ目７は、同様に、端から後退して配置され、その結果、第１端と重なるにもかかわらず、外側シェル３ｂの第２端を内側シェル３ａに直接、接着結合する選択肢もある。
【００７６】
内側シェル３ａは、その端で重なり、密封して接着結合される。
【００７７】
外側シェル３ｂには、シェル３の高さ方向において十分に広がり、且つ構造体５を形成する波線８が設けられる。本実施形態において、波線８は、隆起部９及び凹部１０を形成する。しかし、本実施形態において、隆起部９及び凹部１０の符号は、それらが零点位置に関していずれの場合にも隆起されているまたは凹んでいることを示す必要はなく、この零点位置は、例えば元の紙面によって定義される。むしろ、隆起部９及び凹部１０は、互いに関する隆起部及び凹部を表す。
【００７８】
隆起部９及び凹部１０の高さは、シェルの高さにわたって変化する。この例となる実施形態において、隆起部９及び凹部１０の形状があまり明白でない複数の領域１１は、外側シェル３ｂの周りに延びて配置される。その他の配置を考えてもよい。
【００７９】
この領域１１の結果として、外側シェル３ｂを把持することがより容易になる。さらに、予想外に滑ることを防止する滑り止め手段が形成される。それにもかかわらず、この改良は、複数のカップ１を互いに積み重ねる機能を妨げない。
【００８０】
さらに、印刷されたあるいはエンボス加工された情報事項を担持する平滑領域１２が設けられる。それは、ロゴマークまたは同様のものをこの領域１２に配置することも可能にする。領域１２は、例えばロゴマークを支持する若干くぼんだ円形領域を呈する。
【００８１】
経路は、外側シェル３ｂの構造体５によって形成され、この経路は、シェルの少なくともおよそ高さ方向に延び、内側シェル３ａによって閉鎖され、閉じた経路はここで終わり、それらの端で開口している。
【００８２】
経路に含まれる空気は、非常に十分な断熱作用を保証する。例えば、熱い、または冷たい飲み物をカップ１に入れると、外側シェル３ｂの外側が飲み物の高いまたは低い温度を帯びないので、カップ１は、それにもかかわらず非常に満足に持つことができる。外界との飲み物の温度均等化は、同様に軽減される。
【００８３】
経路がそれらの端で開口していると、冷却効果も空気の対流によって同様に果たされ、この空気の対流は、例えばコーヒーまたは同様のものなどの熱い飲み物について、経路にわたって生じ、飲むことへの助けとなる温度まで飲み物をより速く冷やす。
【００８４】
目打ち開口部１３を外側シェル３ｂの上縁及び下縁に設けることも考えられ、この目打ち開口部１３は、経路からの空気のスムーズな流入及び流出を可能にする。
【００８５】
その上、外側シェル３ｂは、とても高い固有の剛性を有し、それが、所定の領域、好ましくは上縁及び／または下縁のみにおいて、内側カップ３ａを当接支持し、その他の点では内側カップ３ａから間隔をあけており、この結果として、よりいっそう十分な断熱作用が達成されることが考えられる。
【００８６】
外側シェル３ｂそれ自身を多層で構成することも考えられる。ここで、平滑層は、構造化された層に付けられ、且つそれに結合される。平滑層は、内側か外側のいずれかに配置されてもよい。
【００８７】
カップ１がプラスチックまたはその他の所望の材料からなり、外側シェル３ｂのみを紙またはボール紙から作ることも考えられる。
【００８８】
外側シェル３ｂは、同様にカップ１とは別に作られ、続いてカップ上に押しつけられる。ここで、静止摩擦は、たいてい十分である。接着結合が考えられる。
【００８９】
上述した接着結合は、同様に、カップ１の外周上にさらなる接着位置を有する。例えば接着結合をカップ１の外周に沿って行うことも考えられる。ここで、１以上の接着点または接着線を設けてもよい。
【００９０】
図２は、カップ１のシェル３を通る断面図を示し、その結果、隆起部９及び凹部１０から形成される経路が示される。
【００９１】
２つの隣接した隆起部９または凹部１０間の間隔１４は、シェル３の高さにわたって変化する。第１の例となる実施形態において、間隔１４は、シェル３の下方の領域においてよりもシェル３の上部の領域において大きい。この間隔の違いは、利用できる材料に関して補償をもたらし、この補償は、カップ１の高さにわたって異なる直径に応じて調節をもたらす。この調節は、外側シェル３ｂにおけるしわまたは同様のものを回避する。
【００９２】
結果として、外側シェル３ｂのために若干伸縮する紙またはボール紙だけを状況次第で使用する選択肢もある。
【００９３】
図３は、本発明のさらなる改良を示す。本実施形態に示すカップは、符号３１で示される。本実施形態において、平行線３８で形成される構造体３５は、波線８から形成される構造体５の替わりに設けられる。
【００９４】
外側シェル３ｂは、中央部３２において膨出部を有する。これは、外側シェルにおける外周厚化部分をもたらす。この厚化部分は、この領域において線３８の間隔３３を大きくすることによって作られる。より大きい間隔３３は、隆起部９及び凹部１０の高さをより高くすることによって生じる。
【００９５】
図４は、本発明のさらなる改良を示す。本実施形態において、個々のエンボス加工形成部４８が設けられ、それら複数は、互いに組み合わさって構造体４５を形成する。
【００９６】
第１の例となる実施形態におけるように、エンボス加工形成部の高さは、この例となる実施形態において変化してもよい。例えば、ロゴマークまたは同様のものがエンボス加工形成部４８として使用される。
【００９７】
これらすべての多層型の改良において、クーポン券として切り離されるシェル領域４７を取り囲むミシン目４６を設けることを考えてもよい。
【００９８】
しかし、単一層型のシェル構造も考えられる。図５は、１つの改良を示し、この改良はこの種類のシェル５３を示し、このシェルは構造化された外側シェル３ｂからだけで形成される。
【００９９】
前と同じように、シェル５３は、シェル５３の高さにわたって深さが変化する構造体５５を有する。この例において、構造体５５は、シェル５３の上縁及び下縁に向かって減少し、その結果、マウスロール４は非常に容易に配置され、底部２への密封された接続部が設けられる。
【０１００】
しかし、本実施形態において深さも同様に大きい規模で変化することも考えられる。
【０１０１】
構造化における非常に幅広い種類のエンボス加工形成部は、単一層型の改良においても考えられる。
【０１０２】
１つの例となる実施形態において、構造体の深さは、０．１ｍｍから２．５ｍｍの範囲の間にあり、隣接する隆起部９または凹部１０の間の間隔は、０．１ｍｍから３ｍｍの間である。隆起部９及び凹部１０の間の半径の移行は、０．５ｍｍから１．２５ｍｍの間の範囲である。
【０１０３】
シェル３ｂは、それが、例えば景色またはその他の描写を表すように構造化される。本実施形態において、構造体は、さらに同様の着色によって強調される。ここで、着色はエンボス加工形成部に位置合わせされる。
【０１０４】
個々のエンボス加工形成部４８は、ロゴマーク、イメージ要素またはその他の所望の描写されたもの、例えば同様に文章要素、を備え、これらは、その後ともにシェル３ｂの構造体を形成する。
【０１０５】
本発明によると、外側シェル３ｂがカップの高さの一部のみを占める場合も考えられる。したがって、外側シェルは、例えば把持領域に制限される。外側シェル３ｂのための追加の材料は、断熱を必要としない領域に残されている。外側シェル３ｂは、安定化を必要とする定義される領域に制限されてもよい。
【０１０６】
これに関して、外側シェル３ｂは引込部を有してもよい。これらの引込部は、例えば内側シェル３ａの視界を開く、または内側シェルが透明である場合に、カップの内容物の視界を開く。外側シェル３ｂのための材料は、この変形例において同様に残される。
【０１０７】
図６に示されるように、外側シェル３ｂ及び内側シェル３ａの両方を、構造化またはエンボス加工することも考えられる。
【０１０８】
２つの層３ａ及び３ｂのエンボス加工形成部４は、少なくとも部分的に互いに逆に向けられ、この結果として、層の間隔を増大させる。
【０１０９】
内側シェル３ａを向く面積が外側を向く面積よりも大きくなるように構造体５を構成することも考えられる。
【０１１０】
この改良の結果として、カップ１と使用者の手との間の熱移動は、減らされる。したがって、非常に熱い、または非常に冷たい充填製品を含むカップ製品は、同様に保持される。図示される例において、面積間の比は、約１：２である。
【０１１１】
ここで、外側を向く面積は同様に、内側を向く面積の５０％よりも小さい、または大きくてもよい。
【０１１２】
この種類の改良は、図７に示されるように、多層型のカップの場合だけでなく、とりわけ単一層型のカップの場合においても、非常に効果的であることが分かる。
【０１１３】
図８に示されるように、外側に向けられた面積が内側に向けられた面積よりも大きいことも考えられる。
【０１１４】
これは、とりわけ多層構造の場合において可能である。より広い外側面積は、快適な取り扱いを保証し、それにもかかわらず非常に十分な断熱作用を達成する。
【０１１５】
この改良にもかかわらず、カップ１は非常に快適に保持される。特に、不快な圧力点が作られない。これは、とりわけ構造体の深さが変化することに起因する。
【符号の説明】
【０１１６】
１  カップ、２  底部、３  シェル、３ａ  内側シェル、３ｂ  外側シェル、４  マウスロール、８  波線、９  隆起部、１０  凹部、１２  平滑領域、１３  目打ち、１４  間隔、３１  カップ、３２  中央部、３３  間隔、４８  エンボス加工形成部
【図１】
2012509819.tif 000003
【図２】
2012509819.tif 000004
【図３】
2012509819.tif 000005
【図４】
2012509819.tif 000006
【図５】
2012509819.tif 000007
【図６】
2012509819.tif 000008
【図７】
2012509819.tif 000009
【図８】
2012509819.tif 000010
【手続補正書】
【提出日】平成23年7月26日(2011.7.26)
【手続補正１】
【補正対象書類名】特許請求の範囲
【補正対象項目名】全文
【補正方法】変更
【補正の内容】
【特許請求の範囲】
【請求項１】
底部及び隣接するシェルを有し、
前記シェルが、単一層または多層を有し、
前記シェルの少なくとも１層が紙もしくはボール紙または類似の材料から作られる、カップであって、
前記シェルの少なくとも１層には、その高さ全体及び少なくともおよそ全周にほぼわたって隆起部及び／または凹部が設けられ、
最大の隆起部または凹部と材料層または前記凹部もしくは前記隆起部との間の深さの差は、前記シェルの高さにわたって且つ／または外周にわたって変化することを特徴とするカップ。
【請求項２】
２つの隣接する前記隆起部または前記凹部間の間隔は、前記シェルの高さにわたって変化することを特徴とする請求項１に記載のカップ。
【請求項３】
前記隆起部及び／または前記凹部は、エンボス加工形成部として形成されることを特徴とする請求項１または２に記載のカップ。
【請求項４】
加工した要素として構成される複数の個々の前記エンボス加工形成部は、前記シェルにわたって分配され、且つともに前記隆起部及び前記凹部を形成することを特徴とする請求項１から３のいずれか１項に記載のカップ。
【請求項５】
前記隆起部及び／または前記凹部は、直線の形態または波線の形態で配置され、且つ少なくともおよそ前記シェルの高さ方向に延びることを特徴とする請求項１から４のいずれか１項に記載のカップ。
【請求項６】
カップにおける内面と外面との間の接触面積は、減少した形状からなり、
少なくとも把持領域において、少なくとも内側を向く前記接触面積が外側を向く前記隆起部の接触面積よりも小さくなるように前記隆起部を構成することが可能であり、または、
少なくとも把持領域において、少なくとも内側を向く前記接触面積が外側を向く前記隆起部の接触面積よりも大きくなるように前記隆起部を構成することが可能であり、
両方の場合において、内側の前記接触面積と外面との間の比が１：２であることが可能であることを特徴とする請求項１から５のいずれか１項に記載のカップ。
【請求項７】
前記シェルは、少なくとも１つのほぼ平滑形状からなる領域を有し、
情報事項及び／または前記エンボス加工形成部を平滑領域に設けることが可能であることを特徴とする請求項１から６のいずれか１項に記載のカップ。
【請求項８】
多層を有して構成される前記シェルは、少なくとも２つのエンボス加工された層を有し、
前記層における前記エンボス加工形成部を互いに逆に向けることが可能であり、且つ／または、
前記層における前記エンボス加工形成部が互いに接触支持することが可能であることを特徴とする請求項１から７のいずれか１項に記載のカップ。
【請求項９】
多層を有して構成される前記シェルは、平滑層を有し、
平滑層を前記シェルの前記内側層として設け、前記内側層はそれ自身及び前記底部に密封して結合されることを特徴とする請求項１から８のいずれか１項に記載のカップ。
【請求項１０】
前記層は、その上部及び／または下端において互いに密封して結合されることを特徴とする請求項８または９に記載のカップ。
【請求項１１】
前記シェル及び／または前記層は、それら自身／それ自身に接着結合されることを特徴とする請求項１から１０のいずれか１項に記載のカップ。
【請求項１２】
前記シェルは、重なる形状からなり、
前記シェルの第２の外側端には、該外側端に関して後退して配置される接着結合部が設けられていることを特徴とする請求項１から１１のいずれか１項に記載のカップ。
【請求項１３】
外側層は、異なる高さの前記隆起部によって設けられる滑り止め手段を有し、且つ／または、
前記外側層または前記単一層は、少なくとも１つの厚化部分を有し、
前記厚化部分を前記シェルの高さにおける中央部に設けることを特徴とする請求項１から１２のいずれか１項に記載のカップ。
【請求項１４】
少なくとも１つの目打ちを前記シェルに設け、
前記目打ちを外側シェルに設けることが可能であり、
前記目打ちを前記シェルの上部及び／または下端に設けることが可能であり、
前記目打ちによって残りの前記シェルから画定されるところにクーポン券を設けることが可能であることを特徴とする請求項１から１３のいずれか１項に記載のカップ。
【請求項１５】
前記外側シェルがカップの高さの一部を覆い、且つ／または、
前記外側シェルが引込部を有することを特徴とする請求項１から１４のいずれか１項に記載のカップ。
【国際調査報告】
2012509819.tif 000011
2012509819.tif 000012
2012509819.tif 000013
2012509819.tif 000014
2012509819.tif 000015
2012509819.tif 000016